(57)【要約】【課題】チェーンとスプロケットとの間のフリクションロスを低減するとともに、チェーンおよびスプロケットの摩耗を抑制するチェーン伝動装置を提供すること。【解決手段】チェーン１１０とスプロケット１５０とから構成されるチェーン伝動装置１００であって、チェーン１１０は、第１プレート列１２０および第２プレート列１３０を、チェーン長手方向に半ピッチずらして交互に配置して連結ピン１４０によって屈曲可能に連結して構成され、連結ピン１４０は、チェーン幅方向の両外側に配置されたリンクプレート１２１の外側面から突出する一対のピン端部１４１を有し、スプロケット１５０は、スプロケット本体１６０と、スプロケット本体１６０の両外側に配置され、ピン端部１４１をチェーン幅方向にガイドするリング状のピンガイド部１７１とを有しているチェーン伝動装置１００。【選択図】図２
2015215013.tif 000002
【特許請求の範囲】
【請求項１】
チェーンとスプロケットとから構成されるチェーン伝動装置であって、
前記チェーンは、チェーン幅方向に並列配置された複数のリンクプレートを含む第１プレート列および第２プレート列を、チェーン長手方向に半ピッチずらして交互に配置して連結ピンによって屈曲可能に連結して構成され、
前記連結ピンは、チェーン幅方向の両外側に配置されたリンクプレートの外側面から突出する一対のピン端部を有し、
前記スプロケットは、複数のスプロケット歯を有したスプロケット本体と、前記スプロケット本体の両外側に配置され、前記ピン端部をチェーン幅方向にガイドするリング状のピンガイド部とを有していることを特徴とするチェーン伝動装置。
【請求項２】
前記第１プレート列は、チェーン幅方向の両外側に配置され、そのピン孔に前記連結ピンが固定状態で挿入される一対の最外プレートと、チェーン幅方向の内側に配置され、そのピン孔に前記連結ピンが遊嵌状態で挿入されるミドルプレートとを含み、
前記ミドルプレートは、前記スプロケット歯に噛み合うリンク歯を有し、
前記最外プレートは、前記スプロケット歯に接触しない形状を有することを特徴とする請求項１に記載のチェーン伝動装置。
【請求項３】
前記スプロケットは、前記スプロケット本体と、前記スプロケット本体の両外側に配置され、前記ピンガイド部が形成された一対のフランジ部とを有し、
前記ピンガイド部は、前記各フランジ部の内側面から内側に向けて突出していることを特徴とする請求項１または請求項２に記載のチェーン伝動装置。
【請求項４】
前記ピンガイド部は、その外周側先端部の内側面側に、前記ピン端部を誘導する誘導部を有していることを特徴とする請求項１乃至請求項３のいずれかに記載のチェーン伝動装置。
【請求項５】
前記スプロケットは、前記スプロケット本体と、前記スプロケット本体の両外側に配置され、前記ピンガイド部が形成されたフランジ部と、前記スプロケット本体と前記フランジ部との間に配置されるスペーサとを有していることを特徴とする請求項１乃至請求項４のいずれかに記載のチェーン伝動装置。
【請求項６】
前記スプロケットは、前記スプロケット本体と、前記スプロケット本体の両外側に配置され、前記ピンガイド部が形成されたフランジ部とを有し、
前記フランジ部は、前記リング状のピンガイド部の内周側に肉抜き部を有していることを特徴とする請求項１乃至請求項５のいずれかに記載のチェーン伝動装置。
【発明の詳細な説明】
【技術分野】
【０００１】
本発明は、チェーンとスプロケットとから構成されるチェーン伝動装置に関する。
【背景技術】
【０００２】
従来、チェーンとスプロケットとから構成されるチェーン伝動装置として、左右一対のガイドプレートおよび左右一対のガイドプレート間に配置されたミドルプレートから成るガイド列と複数のインナープレートから成る非ガイド列とを、連結ピンによってチェーン長手方向に交互に連結したチェーンと、ミドルプレートおよびインナープレートのリンク歯に噛み合うスプロケット歯を有したスプロケットと、から構成されるチェーン伝動装置が知られている（例えば特許文献１を参照）。
【０００３】
この特許文献１に記載のチェーン伝動装置では、スプロケットを挟むように一対のガイドプレートを配置することで、スプロケットからのチェーンの脱落を防止している。
【０００４】
一方、他のチェーン伝動装置として、複数の外リンクプレートから構成された外リンク列と複数の内リンクプレートから構成された内リンク列とを、連結ピンによってチェーン長手方向に交互に連結したチェーンと、外リンクプレートおよび内リンクプレートのリンク歯に噛み合うスプロケット歯を有したスプロケット本体とスプロケット本体の両外側に配置されたフランジとを有したスプロケットと、から構成されるチェーン伝動装置が知られている（特許文献２を参照）。
【０００５】
この特許文献２に記載のチェーン伝動装置では、スプロケットの一対のフランジを外リンクプレートを挟むように配置することで、スプロケットからのチェーンの脱落を防止している。
【先行技術文献】
【特許文献】
【０００６】
【特許文献１】特開平１０−２３８５９７号公報
【特許文献２】特開２０１１−１７３５４号公報
【発明の概要】
【発明が解決しようとする課題】
【０００７】
ところが、特許文献１に記載のチェーン伝動装置では、チェーン走行時において、チェーン幅方向にチェーンが振れを生じると、スプロケット歯の側面とガイドプレートの内側面とが干渉し、ガイドプレートやスプロケットに損傷が生じたり、干渉に起因したフリクションロスが発生するという問題があった。また、ガイドプレートの内側面とスプロケットの側面との間に一定の隙間が生じるように、一対のガイドプレートの内側面間の間隔がスプロケットの幅寸法よりも大きく設定されているため、ガイドプレートに隣接配置されたインナープレートの一部がスプロケット歯に噛み合わず、すなわち、インナープレートが部分的にしかスプロケット歯に噛み合わないため、噛合時における歯部応力が高くなり、インナープレートのリンク歯およびスプロケット歯の摩耗が進行するという問題もあった。
【０００８】
一方、特許文献２に記載のチェーン伝動装置では、チェーン走行時において、チェーン幅方向にチェーンが振れを生じると、フランジの内側面と外リンクプレートの外側面とが干渉し、フリクションロスが発生するという問題があった。また、最も大きな荷重が発生する噛合開始時に、フランジとの干渉およびスプロケット歯との噛み合いに係る荷重が外リンクプレートにかかるため、通常よりも大きなフリクションロスが発生するという問題があった。また、スプロケット歯に噛み合うリンク歯を有した外リンクプレートが連結ピンに固定されているため、外リンクプレートの屈曲自由度が損なわれ、チェーンとスプロケットとの円滑な噛み合いが阻害されるという問題もある。
【０００９】
そこで、本発明は、これらの問題点を解決するものであり、チェーンとスプロケットとの間のフリクションロスを低減するとともに、チェーンおよびスプロケットの摩耗を抑制するチェーン伝動装置を提供することを目的とするものである。
【課題を解決するための手段】
【００１０】
本発明は、チェーンとスプロケットとから構成されるチェーン伝動装置であって、前記チェーンは、チェーン幅方向に並列配置された複数のリンクプレートを含む第１プレート列および第２プレート列を、チェーン長手方向に半ピッチずらして交互に配置して連結ピンによって屈曲可能に連結して構成され、前記連結ピンは、チェーン幅方向の両外側に配置されたリンクプレートの外側面から突出する一対のピン端部を有し、前記スプロケットは、複数のスプロケット歯を有したスプロケット本体と、前記スプロケット本体の両外側に配置され、前記ピン端部をチェーン幅方向にガイドするリング状のピンガイド部とを有していることにより、前記課題を解決するものである。
【発明の効果】
【００１１】
本請求項１に係る発明によれば、スプロケット本体の両外側にリング状のピンガイド部を設け、ピンガイド部によってチェーンのピン端部をガイドすることにより、チェーン幅方向の両外側に配置された最外プレートとスプロケットとの接触を回避し、チェーンとスプロケットとの間の接触面積を低減できるため、チェーンとスプロケットとの間のフリクションロスを低減するとともに、チェーンおよびスプロケットの摩耗を抑制することができる。
また、チェーン幅方向においてチェーンの最も外側に位置するピン端部をガイドすることにより、特許文献１のように、一部のリンクプレートが部分的にしかスプロケット歯に噛み合わない事態を回避することができるため、チェーンおよびスプロケットの摩耗を抑制することができる。
【００１２】
本請求項２に係る発明によれば、スプロケット歯に接触しない形状の最外プレートを連結ピンに固定し、リンク歯を有するミドルプレートを連結ピンに遊嵌することにより、最外プレートにリンク歯を形成しない分だけチェーン軽量化を図ることができるとともに、チェーン幅方向において最外プレートに隣接するリンクプレートと最外プレートとの間の接触面積を低減することができ、また、スプロケット歯に噛み合うリンクプレートの枚数を低減してチェーンとスプロケットとの間のフリクションロスを低減することができ、更には、スプロケット歯に噛み合う全てのリンクプレートの屈曲自由度を確保することが可能であるため、チェーンとスプロケットとの円滑な噛み合いを実現することができる。
本請求項３に係る発明によれば、ピンガイド部がフランジ部の内側面から突出していることにより、ピンガイド部がピン端部のみを的確にガイドし、ピンガイド部がピン端部以外でチェーンに接触することを回避することが可能であるため、フリクションロスの増加を防止することができる。
本請求項４に係る発明によれば、ピンガイド部の外周側先端部の内側面側に、ピン端部を誘導する誘導部を形成することにより、チェーン幅方向にチェーンが振れを生じた場合であっても、スプロケットに対するチェーンの噛合開始時に、チェーンをスプロケット本体上に円滑に誘導することができる。
本請求項５に係る発明によれば、スプロケット本体とフランジ部との間にスペーサが配置されていることにより、スプロケット本体の幅を低減することが可能であるため、スプロケットのコストや重量を低減することができる。
本請求項６に係る発明によれば、リング状のピンガイド部の内周側に肉抜き部を形成することにより、フランジ部のコストや重量を低減することができるばかりでなく、フランジ部の弾性を向上することができるため、スプロケットのピンガイド部とチェーンのピン端部との過度な干渉を回避することができる。
【図面の簡単な説明】
【００１３】
【図１】第１実施形態に係るチェーンを示す斜視図。
【図２】第１実施形態に係るチェーン伝動装置を示す斜視図。
【図３】第１実施形態に係るチェーン伝動装置を示す平面図。
【図４】第２実施形態に係るチェーン伝動装置を示す斜視図。
【図５】第２実施形態に係るチェーン伝動装置を示す平面図。
【図６】第３実施形態に係るチェーン伝動装置を示す斜視図。
【図７】第４実施形態に係るチェーン伝動装置を示す斜視図。
【図８】第４実施形態に係るチェーン伝動装置を示す平面図。
【発明を実施するための形態】
【００１４】
以下に、本発明の第１実施形態に係るチェーン伝動装置１００について、図面に基づいて説明する。
【００１５】
チェーン伝動装置１００は、自動車エンジン用のタイミングシステムに組み込まれるものであり、図２に示すように、タイミングチェーンとして構成されたチェーン１１０と、チェーン１１０に噛み合うスプロケット１５０とから構成されている。
【００１６】
まず、チェーン１１０の構成について、以下に説明する。
【００１７】
チェーン１１０は、図１に示すように、複数の第１プレート列１２０と複数の第２プレート列１３０とを、チェーン長手方向に半ピッチずらして交互に配置して連結ピン１４０によって屈曲可能に連結したものである。
【００１８】
第１プレート列１２０は、図１に示すように、チェーン幅方向の両外側に配置された一対の最外プレート１２１と、一対の最外プレート１２１の間に配置された複数のミドルプレート１２２とから構成されている。第２プレート列１３０は、チェーン幅方向に並列配置された複数のインナープレート１３１から構成されている。
【００１９】
最外プレート１２１とミドルプレート１２２とインナープレート１３１とは、チェーン長手方向に並べて形成された一対のピン孔をそれぞれ有している。複数の第１プレート列１２０と複数の第２プレート列１３０とは、連結ピン１４０をミドルプレート１２２およびインナープレート１３１のピン孔に遊嵌状態で挿入するとともに、連結ピン１４０の両端側を最外プレート１２１のピン孔に圧入嵌合によって固定することで、屈曲可能に連結されている。連結ピン１４０の両端であるピン端部１４１は、最外プレート１２１の外側面から突出している。
【００２０】
最外プレート１２１は、スプロケット歯１６１に接触しない形状に形成されている。ミドルプレート１２２およびインナープレート１３１は、チェーン屈曲内周側にスプロケット歯１６１と噛み合うための一対のＶ字状のリンク歯をそれぞれ有している。
【００２１】
次に、スプロケット１５０の構成について、以下に説明する。
【００２２】
スプロケット１５０は、図２に示すように、その外周に複数のスプロケット歯１６１を有した金属製のスプロケット本体１６０と、スプロケット本体１６０と別体に形成された一対のフランジ部１７０とから構成されている。
【００２３】
スプロケット歯１６１の幅寸法は、最外プレート１２１以外のリンクプレート１２２、１３１がチェーン幅方向の全域に亘ってスプロケット歯１６１に噛み合うのに充分な寸法で設定されている。すなわち、スプロケット歯１６１の幅寸法は、左右の最外プレート１２１の内側面間の間隔よりも大きく、かつ、連結ピン１４０の丈寸法よりも大きく設定されている。
【００２４】
各フランジ部１７０は、合成樹脂から形成され、図２に示すように、中心部に軸孔が形成された円板形状を有している。フランジ部１７０は、スプロケット本体１６０の両外側にそれぞれ取り付けられている。
【００２５】
本実施形態では、図２や図３に示すように、円板形状のフランジ部１７０の外周側が、チェーン幅方向にピン端部１４１をガイドするリング状のピンガイド部１７１として機能する。
【００２６】
次に、第２実施形態のチェーン伝動装置２００について、図４および図５に基づいて説明する。ここで、第２実施形態では、一部構成以外は、前述した第１実施形態と全く同じである。そのため、第１実施形態に関する明細書および図面に示す１００番台の符号を２００番台の符号に読み替えることによって、相違点以外の構成については、その説明を省略する。
【００２７】
まず、第２実施形態においては、フランジ部２７０の構成のみが第１実施形態の場合と異なる。すなわち、第２実施形態においては、図４や図５に示すように、ピンガイド部２７１が、フランジ部２７０の外周部において、フランジ部２７０の内側面から内側に向けて突出している。
【００２８】
また、本実施形態においては、図５に示すように、ピンガイド部２７１の外周側先端部の内側面側に、チェーン幅方向の内側に向けて傾斜し、チェーン２２０とスプロケット２５０との噛合開始時に、ピン端部２４１をチェーン幅方向の内側に向けて誘導する誘導部２７１ａを有している。なお、図５に示す例では、誘導部２７１ａが、湾曲凸面状に形成されているが、誘導部２７１ａを平坦面状に形成してもよい。
【００２９】
次に、第３実施形態のチェーン伝動装置３００について、図６に基づいて説明する。ここで、第３実施形態では、一部構成以外は、前述した第２実施形態と全く同じである。そのため、第２実施形態に関する明細書および図面に示す２００番台の符号を３００番台の符号に読み替えることによって、相違点以外の構成については、その説明を省略する。
【００３０】
まず、第３実施形態においては、フランジ部３７０の構成のみが第２実施形態の場合と異なる。すなわち、第３実施形態においては、図６に示すように、リング状のピンガイド部３７１の内周側において、フランジ部３７０の厚み方向に貫通する複数の肉抜き部３７２が形成されている。なお、本実施形態では、一対のフランジ部３７０の両方に肉抜き部３７２が形成されているが、一方のフランジ部３７０のみに肉抜き部３７２を形成してもよい。
【００３１】
次に、第４実施形態のチェーン伝動装置４００について、図７および図８に基づいて説明する。ここで、第４実施形態では、一部構成以外は、前述した第３実施形態と全く同じである。そのため、第３実施形態に関する明細書および図面に示す３００番台の符号を４００番台の符号に読み替えることによって、相違点以外の構成については、その説明を省略する。
【００３２】
まず、第４実施形態においては、スプロケット４５０の構成のみが第３実施形態の場合と異なる。すなわち、第４実施形態においては、図７や図８に示すように、スプロケット４５０が、スプロケット本体４６０およびフランジ部４７０の他に、スプロケット本体４６０とフランジ部４７０との間に介在して配置されるスペーサ４８０を備えている。スペーサ４８０には、合成樹脂から形成され、その中心部に軸孔を有している。
【００３３】
第４実施形態においては、スプロケット本体４６０の幅寸法が、連結ピン４４０の丈寸法よりも小さいとともに、左右の最外プレート４２１の内側面間の間隔よりも大きく設定されている。
【００３４】
なお、上述した実施形態では、チェーンが自動車エンジン用のタイミングチェーンであるものとして説明したが、本発明のチェーンの用途はこれに限定されず、伝動用チェーンや搬送用チェーン等の如何なるものでもよい。
また、上述した実施形態では、チェーンがサイレントチェーンであるものとして説明した。しかしながら、チェーンの具体的態様は、チェーン幅方向に並列配置された複数のリンクプレートを含む第１プレート列および第２プレート列を、チェーン長手方向に半ピッチずらして交互に配置して連結ピンによって屈曲可能に連結して成り、連結ピンのピン端部がチェーン幅方向の両外側に配置されたリンクプレートの外側面から突出したものであれば如何なるものでもよく、例えば、ローラチェーンやブシュチェーンであってもよい。
また、上述した実施形態では、チェーン幅方向の最も外側に配置される最外プレートにリンク歯を設けないものとして説明したが、最外プレートにリンク歯を設け、最外プレートについてもスプロケット歯に噛み合うように構成してもよい。
また、上述した実施形態では、スプロケット本体に取り付けられたフランジ部の外周部をリング状のピンガイド部として利用しているが、ピンガイド部の具体的態様はこれに限定されず、スプロケット本体に掛け回されたチェーンのピン端部をガイドするものであれば如何なるものでもよい。
また、チェーンやスプロケットの各構成部品の材料については、金属や合成樹脂等の如何なるものでもよい。
また、スプロケット本体に対するフランジ部の取り付け方法については如何なるものでもよく、また、スプロケット本体とフランジ部とを一体に形成してもよい。
また、上述した各実施形態の構成を、任意に組み合わせてチェーン伝動装置を構成しても何ら構わない。
【符号の説明】
【００３５】
１００、２００、３００、４００  ・・・  チェーン伝動装置
１１０、２１０、３１０、４１０  ・・・  チェーン
１２０  ・・・  第１プレート列
１２１  ・・・  最外プレート
１２２  ・・・  ミドルプレート
１３０  ・・・  第２プレート列
１３１  ・・・  インナープレート
１４０  ・・・  連結ピン
１４１、２４１、３４１、４４１  ・・・  ピン端部
１５０、２５０、３５０、４５０  ・・・  スプロケット
１６０、２６０、３６０、４６０  ・・・  スプロケット本体
１６１、２６１、３６１、４６１  ・・・  スプロケット歯
１７０、２７０、３７０、４７０  ・・・  フランジ部
１７１、２７１、３７１、４７１  ・・・  ピンガイド部
２７１ａ、４７１ａ  ・・・  誘導部
３７２、４７２  ・・・  肉抜き部
４８０  ・・・スペーサ
【図１】
2015215013.tif 000003
【図２】
2015215013.tif 000004
【図３】
2015215013.tif 000005
【図４】
2015215013.tif 000006
【図５】
2015215013.tif 000007
【図６】
2015215013.tif 000008
【図７】
2015215013.tif 000009
【図８】
2015215013.tif 000010